(57)【要約】  【課題】  従来のプロジェクタシステムでは、発表中に質問があっても発表が終わるまで待たなければならず、また、発表者は、発表中に聴衆からの質問を知りたくても発表が終わるまで知ることが出来ないという課題がある。  【解決手段】  入力された画像情報を投射対象に投射する投射手段１６と、画像情報に関連するメッセージが送信されてきた場合、そのメッセージを受信して保存する受信手段１５とを有するプロジェクタ装置１と、メッセージが入力された場合、その入力されたメッセージをプロジェクタ装置に送信する送信手段１０を有する端末装置とを備える。【選択図】  図２
2005221898.tif 000002
【特許請求の範囲】
【請求項１】
入力された画像情報を投射対象に投射する投射手段と、前記画像情報に関連するメッセージが送信されてきた場合、そのメッセージを受信して保存する受信手段とを有するプロジェクタ装置と、
前記メッセージが入力された場合、その入力されたメッセージを前記プロジェクタ装置に送信する送信手段を有する端末装置とを備えたプロジェクタシステム。
【請求項２】
入力された画像情報を投射対象に投射する投射手段と、
前記画像情報に関連するメッセージが入力された場合、その入力されたメッセージを前記プロジェクタ装置に送信する送信手段を有する端末装置から前記メッセージが送信されてきた場合、そのメッセージを受信して保存する受信手段とを備えたプロジェクタ装置。
【請求項３】
前記端末装置は、前記画像情報を前記プロジェクタ装置から受け取る受け取り手段と、
その受け取った画像情報を表示する第１の表示手段と、
前記第１の表示手段が表示している前記画像情報に関連するメッセージを入力する入力手段とを有する請求項２記載のプロジェクタ装置。
【請求項４】
前記端末装置は、前記投射対象に投射されている前記画像情報の全部または一部が指示された場合、その指示を前記メッセージに変換する変換手段を有する請求項２記載のプロジェクタ装置。
【請求項５】
前記投射手段は、指示された場合、送信されたきた前記メッセージを前記投射対象に投射する請求項２記載のプロジェクタ装置。
【請求項６】
前記メッセージには、前記端末装置を使用するユーザを特定するＩＤが含まれており、
前記投射手段は、前記端末装置から前記メッセージが送信されてきた場合、前記ＩＤをも表示する請求項５記載のプロジェクタ装置。
【請求項７】
前記端末装置は、一つまたは複数であり、
前記投射手段は、１つまたは複数の前記端末装置から前記メッセージが送信されてきた場合、それらのメッセージを表示する請求項５記載のプロジェクタ装置。
【請求項８】
指示された場合、送信されてきた前記メッセージを前記投射対象とは異なる表示画面に表示する第２の表示手段を備えた請求項２記載のプロジェクタ装置。
【請求項９】
前記メッセージには、前記端末装置を使用するユーザを特定するＩＤが含まれており、
前記第２の表示手段は、前記端末装置から前記メッセージが送信されてきた場合、前記ＩＤをも表示する請求項８記載のプロジェクタ装置。
【請求項１０】
前記端末装置は、一つまたは複数であり、
前記第２の表示手段は、一つまたは複数の前記端末装置から前記メッセージが送信されてきた場合、それらのメッセージを表示する請求項８記載のプロジェクタ装置。
【請求項１１】
前記メッセージは、前記画像情報及び前記画像情報に付されたアンダーライン、または前記画像情報に付されたアンダーライン、または前記画像情報に関連する質問、または前記画像情報に関連する感想である請求項２記載のプロジェクタ装置。
【請求項１２】
前記端末装置は、ユーザによって前記メッセージが入力された場合、そのメッセージに対応する前記画像情報の部分にしおりを付けることが出来るしおり付加手段を有し、
前記第１の表示手段は、そのしおりが指示されると、そのしおりに対応する前記メッセージを呼び出して表示することが出来る請求項３記載のプロジェクタ装置。
【請求項１３】
前記投射対象に投射されている前記画像情報の全部または一部が指示されるとは、光指示手段で前記投射対象に投射されている前記画像情報の全部または一部を指示することであり、
前記端末装置は、前記光指示手段で指示され、前記投射対象に投射されている前記画像情報を撮像する撮像手段を有し、
前記変換手段は、前記撮像手段が撮像した画像情報から前記光指示手段が指示している位置情報を解析して求め、
前記送信手段は、求められた前記位置情報を前記メッセージとして前記プロジェクタ装置に送信する請求項４記載のプロジェクタ装置。
【請求項１４】
入力された画像情報を投射対象に投射する投射手段と、前記画像情報に関連するメッセージが送信されてきた場合、そのメッセージを受信して保存する受信手段とを有するプロジェクタ装置に、前記メッセージが入力された場合、その入力されたメッセージを前記プロジェクタ装置に送信する送信手段を備えた端末装置。
【請求項１５】
前記画像情報を前記プロジェクタ装置から受け取る受け取り手段と、
その受け取った画像情報を表示する第１の表示手段と、
前記第１の表示手段が表示している前記画像情報に関連するメッセージを入力する入力手段とを備えた請求項１４記載の端末装置。
【請求項１６】
前記投射対象に投射されている前記画像情報の全部または一部が指示された場合、その指示を前記メッセージに変換する変換手段を備えた請求項１４記載の端末装置。
【請求項１７】
前記投射手段は、指示された場合、送信されたきた前記メッセージを前記投射対象に投射する請求項１４記載の端末装置。
【請求項１８】
前記メッセージには、端末装置を使用するユーザを特定するＩＤが含まれており、
前記投射手段は、端末装置から前記メッセージが送信されてきた場合、前記ＩＤをも表示する請求項１７記載の端末装置。
【請求項１９】
前記投射手段は、一つまたは複数の端末装置から前記メッセージが送信されてきた場合、それらのメッセージを表示する請求項１７記載の端末装置。
【請求項２０】
前記プロジェクタ装置は、指示された場合、送信されてきた前記メッセージを前記投射対象とは異なる表示画面に表示する第２の表示手段を有する請求項１４記載の端末装置。
【請求項２１】
前記メッセージには、前記端末装置を使用するユーザを特定するＩＤが含まれており、
前記第２の表示手段は、前記端末装置から前記メッセージが送信されてきた場合、前記ＩＤをも表示する請求項２０記載の端末装置。
【請求項２２】
前記第２の表示手段は、一つまたは複数の端末装置から前記メッセージが送信されてきた場合、それらのメッセージを表示する請求項２０記載の端末装置。
【請求項２３】
前記メッセージは、前記画像情報及び前記画像情報に付されたアンダーライン、または前記画像情報に付されたアンダーライン、または前記画像情報に関連する質問、または前記画像情報に関連する感想である請求項１４記載の端末装置。
【請求項２４】
ユーザによって前記メッセージが入力された場合、そのメッセージに対応する前記画像情報の部分にしおりを付けることが出来るしおり付加手段を備え、
前記第１の表示手段は、そのしおりが指示されると、そのしおりに対応する前記メッセージを呼び出して表示することが出来る請求項１５記載の端末装置。
【請求項２５】
光指示手段で指示され、前記投射対象に投射されている前記画像情報を撮像する撮像手段を備え
前記投射対象に投射されている前記画像情報の全部または一部が指示されるとは、前記光指示手段で前記投射対象に投射されている前記画像情報の全部または一部を指示することであり、
前記変換手段は、前記撮像手段が撮像した画像情報から前記光指示手段が指示している位置情報を解析して求め、
前記送信手段は、求められた前記位置情報を前記メッセージとして前記プロジェクタ装置に送信する請求項１６記載の端末装置。
【請求項２６】
プロジェクタ装置と、端末装置とを備えたプロジェクタシステムに用いられる投射方法であって、
前記プロジェクタ装置は、入力された画像情報を投射対象に投射する投射ステップと、メッセージが送信されてきた場合、そのメッセージを受信して保存する受信ステップとを有し、
前記端末装置は、前記画像情報に関連する前記メッセージが入力された場合、その入力されたメッセージを前記プロジェクタ装置に送信する送信ステップを有する投射方法。
【請求項２７】
入力された画像情報を投射対象に投射する投射手段と、
入力された前記画像情報とともに、前記画像情報とは異なった情報を重畳させて表示する表示手段とを備えたプロジェクタ装置。
【請求項２８】
入力された画像情報を投射対象に投射する投射ステップと、
入力された前記画像情報とともに、前記画像情報とは異なった情報を重畳させて表示する表示ステップとを備えた投射方法。
【請求項２９】
入力された画像情報を投射対象領域に投射するプロジェクタ装置によって前記投射対象領域に投射された画像に光をあてることによって指示する光指示手段と、
前記光指示手段が前記投射対象領域に向いているかどうかを判定する向き判定手段とを備え、
前記光指示手段は、前記光指示手段が前記投射対象領域に向いていないと判定された場合、前記光を出力しないまたは前記光の強さを所定の強さ以下に低減する光指示装置。
【請求項３０】
前記向き検出手段は、方位センサ及び／または角度センサを含む請求項２９記載の光指示装置。
【請求項３１】
前記光指示手段が示す向きを撮像する撮像手段を備え、
前記投射対象領域内または前記投射対象領域から所定の距離の範囲内にマーカが設けられており、
前記向き判定手段は、前記撮像手段が撮像した画像とマーカとの関係に基づいて前記光指示手段が前記投射対象領域に向いているかどうかを判定する請求項２９記載の光指示装置。
【請求項３２】
前記光指示手段が示す向きを撮像する撮像手段を備え、
前記投射対象領域に投射された画像自身にマーカが映し出されており、
前記向き判定手段は、前記撮像手段が撮像した画像とマーカとの関係に基づいて前記光指示手段が前記投射対象領域に向いているかどうかを判定する請求項２９記載の光指示装置。
【請求項３３】
前記マーカは、投射された前記画像の縁である請求項３２記載の光指示装置。
【請求項３４】
入力された画像情報を投射対象領域に投射するプロジェクタ装置によって前記投射対象領域に投射された画像に光をあてることによって指示する光指示ステップと、
前記光指示手段が前記投射対象領域に向いているかどうかを判定する向き判定ステップとを備え、
前記光指示ステップは、前記光指示ステップが前記投射対象領域に向いていないと判定された場合、前記光を出力しないまたは前記光の強さを所定の強さ以下に低減する光指示方法。
【請求項３５】
請求項２記載のプロジェクタ装置の、前記画像情報に関連するメッセージが入力された場合、その入力されたメッセージを前記プロジェクタ装置に送信する送信手段を有する端末装置から前記メッセージが送信されてきた場合、そのメッセージを受信して保存する受信手段としてコンピュータを機能させるためのプログラム。
【請求項３６】
請求項１４記載の端末装置の、入力された画像情報を投射対象に投射する投射手段と、メッセージが送信されてきた場合、そのメッセージを受信して保存する受信手段とを有するプロジェクタ装置に、前記メッセージが入力された場合、その入力されたメッセージを前記プロジェクタ装置に送信する送信手段としてコンピュータを機能させるためのプログラム。
【請求項３７】
請求項２９記載の光指示装置の、前記光指示手段が前記投射対象領域に向いているかどうかを判定するの向き判定手段としてコンピュータを機能させるためのプログラム。
【請求項３８】
請求項３５〜３７のいずれかに記載のプログラムを担持した記録媒体であって、コンピュータにより処理可能な記録媒体。
【発明の詳細な説明】
【技術分野】
【０００１】
本発明は、スクリーンなどの投射対象に画像情報を投射するプロジェクタシステム、プロジェクタ装置、端末装置、光指示装置、投射方法、プログラム、及び記録媒体に関するものである。
【背景技術】
【０００２】
近年、プレゼンテーション、会議、講演会、学会発表など様々な集まりでプロジェクタシステムが必需品になっている。プロジェクタシステムを用いることにより、説得力のある説明が可能になる。
【０００３】
従来のプロジェクタシステム（例えば、特許文献１参照。）の概略構成を図１８に示す。
【０００４】
図１８に示すプロジェクタシステムにおいて、プロジェクタ装置１０４は、投射レンズ１０２を備える。投射レンズ１０２に面してスクリーン１０１が設置され、レーザポインタ１０３がスクリーンに向けて点灯できるように配置されている。
【０００５】
このようなプロジェクタシステムを使用する際、発表者は、プロジェクタ装置１０４を操作して投射レンズ１０２からスクリーン１０１に所望の画像情報を表示させる。そして、発表者は、レーザポインタ１０３をスクリーン１０１上の所望の場所に向けて点灯させることにより、発表者が特定したい箇所をレーザ光により指し示しながら発表を行う。
【０００６】
また、発表者による発表が一通り終了した後、質問がある聴衆は、挙手して発表者の許可を得てから質問内容を話す。そして、聴衆からの質問に対して発表者は回答を説明していた。
【０００７】
あるいは、事前に配布された質問用紙に質問がある発表者が質問内容を書き込み、発表者による発表が一通り終了した後、その質問用紙が回収される。そして、発表者は回収された質問用紙に基づいて回答を説明していた。
【特許文献１】特開２００２−１９６７４０号公報
【発明の開示】
【発明が解決しようとする課題】
【０００８】
しかしながら、従来のプロジェクタシステムでは、聴衆からの質問は、発表が終わってから行われるため、聴衆は発表中に質問を思いついても発表が終わるまで待たなければならない。また、発表者は、発表中に聴衆からの質問を知りたくても発表が終わるまで知ることが出来ない。
【０００９】
すなわち、従来のプロジェクタシステムでは、発表中に質問を思いついても発表が終わるまで待たなければならず、また、発表者は、発表中に聴衆からの質問を知りたくても発表が終わるまで知ることが出来ないという課題がある。
【００１０】
また、事前に質問用紙を配布しておき、その質問用紙に質問がある聴衆が質問内容を書き込み、発表が終了した後に、わざわざ質問用紙を回収しなければならないので、手間がかかる。
【００１１】
すなわち、従来のプロジェクタシステムでは、質問用紙を配布したり、質問用紙を回収したりするのに手間がかかるという課題がある。
【００１２】
また、発表者は、通常レーザポインタをスクリーンの所望の場所に向けて点灯するが、誤ってレーザポインタを聴衆の方に向けて点灯する場合も起こり得る。このような場合には、レーザ光が聴衆の目にあたる場合も起こり非常に危険である。
【００１３】
すなわち、誤ってレーザポインタを聴衆の方に向けて点灯した場合、聴衆の目にレーザ光があたり危険であるという課題がある。
【００１４】
本発明は、上記課題を考慮し、発表中に質問を思いついた場合、聴取は発表が終わるまで待つ必要がなく、また、発表者は、発表中に聴衆からの質問を知ることが出来るプロジェクタシステム、プロジェクタ装置、端末装置、投射方法、プログラム、及び記録媒体を提供することを目的とするものである。
【００１５】
また、本発明は、上記課題を考慮し、質問用紙を配布したり、質問用紙を回収したりする手間がかからないプロジェクタシステム、プロジェクタ装置、端末装置、投射方法、プログラム、及び記録媒体を提供することを目的とするものである。
【００１６】
また、本発明は、上記課題を考慮し、誤ってレーザポインタを聴衆の方に向けても安全である光指示装置、光指示方法、プログラム、及び記録媒体を提供することを目的とするものである。
【課題を解決するための手段】
【００１７】
上述した課題を解決するために、第１の本発明は、入力された画像情報を投射対象に投射する投射手段と、前記画像情報に関連するメッセージが送信されてきた場合、そのメッセージを受信して保存する受信手段とを有するプロジェクタ装置と、
前記メッセージが入力された場合、その入力されたメッセージを前記プロジェクタ装置に送信する送信手段を有する端末装置とを備えたプロジェクタシステムである。
【００１８】
また、第２の本発明は、入力された画像情報を投射対象に投射する投射手段と、
前記画像情報に関連するメッセージが入力された場合、その入力されたメッセージを前記プロジェクタ装置に送信する送信手段を有する端末装置から前記メッセージが送信されてきた場合、そのメッセージを受信して保存する受信手段とを備えたプロジェクタ装置である。
【００１９】
また、第３の本発明は、前記端末装置は、前記画像情報を前記プロジェクタ装置から受け取る受け取り手段と、
その受け取った画像情報を表示する第１の表示手段と、
前記第１の表示手段が表示している前記画像情報に関連するメッセージを入力する入力手段とを有する第２の本発明のプロジェクタ装置である。
【００２０】
また、第４の本発明は、前記端末装置は、前記投射対象に投射されている前記画像情報の全部または一部が指示された場合、その指示を前記メッセージに変換する変換手段を有する第２の本発明のプロジェクタ装置である。
【００２１】
また、第５の本発明は、前記投射手段は、指示された場合、送信されたきた前記メッセージを前記投射対象に投射する第２の本発明のプロジェクタ装置である。
【００２２】
また、第６の本発明は、前記メッセージには、前記端末装置を使用するユーザを特定するＩＤが含まれており、
前記投射手段は、前記端末装置から前記メッセージが送信されてきた場合、前記ＩＤをも表示する第５の本発明のプロジェクタ装置である。
【００２３】
また、第７の本発明は、前記端末装置は、一つまたは複数であり、
前記投射手段は、１つまたは複数の前記端末装置から前記メッセージが送信されてきた場合、それらのメッセージを表示する第５の本発明のプロジェクタ装置である。
【００２４】
また、第８の本発明は、指示された場合、送信されてきた前記メッセージを前記投射対象とは異なる表示画面に表示する第２の表示手段を備えた第２の本発明のプロジェクタ装置である。
【００２５】
また、第９の本発明は、前記メッセージには、前記端末装置を使用するユーザを特定するＩＤが含まれており、
前記第２の表示手段は、前記端末装置から前記メッセージが送信されてきた場合、前記ＩＤをも表示する第８の本発明のプロジェクタ装置である。
【００２６】
また、第１０の本発明は、前記端末装置は、一つまたは複数であり、
前記第２の表示手段は、一つまたは複数の前記端末装置から前記メッセージが送信されてきた場合、それらのメッセージを表示する第８の本発明のプロジェクタ装置である。
【００２７】
また、第１１の本発明は、前記メッセージは、前記画像情報及び前記画像情報に付されたアンダーライン、または前記画像情報に付されたアンダーライン、または前記画像情報に関連する質問、または前記画像情報に関連する感想である第２の本発明のプロジェクタ装置である。
【００２８】
また、第１２の本発明は、前記端末装置は、ユーザによって前記メッセージが入力された場合、そのメッセージに対応する前記画像情報の部分にしおりを付けることが出来るしおり付加手段を有し、
前記第１の表示手段は、そのしおりが指示されると、そのしおりに対応する前記メッセージを呼び出して表示することが出来る第３の本発明のプロジェクタ装置である。
【００２９】
また、第１３の本発明は、前記投射対象に投射されている前記画像情報の全部または一部が指示されるとは、光指示手段で前記投射対象に投射されている前記画像情報の全部または一部を指示することであり、
前記端末装置は、前記光指示手段で指示され、前記投射対象に投射されている前記画像情報を撮像する撮像手段を有し、
前記変換手段は、前記撮像手段が撮像した画像情報から前記光指示手段が指示している位置情報を解析して求め、
前記送信手段は、求められた前記位置情報を前記メッセージとして前記プロジェクタ装置に送信する第４の本発明のプロジェクタ装置である。
【００３０】
また、第１４の本発明は、入力された画像情報を投射対象に投射する投射手段と、前記画像情報に関連するメッセージが送信されてきた場合、そのメッセージを受信して保存する受信手段とを有するプロジェクタ装置に、前記メッセージが入力された場合、その入力されたメッセージを前記プロジェクタ装置に送信する送信手段を備えた端末装置である。
【００３１】
また、第１５の本発明は、前記画像情報を前記プロジェクタ装置から受け取る受け取り手段と、
その受け取った画像情報を表示する第１の表示手段と、
前記第１の表示手段が表示している前記画像情報に関連するメッセージを入力する入力手段とを備えた第１４の本発明の端末装置である。
【００３２】
また、第１６の本発明は、前記投射対象に投射されている前記画像情報の全部または一部が指示された場合、その指示を前記メッセージに変換する変換手段を備えた第１４の本発明の端末装置である。
【００３３】
また、第１７の本発明は、前記投射手段は、指示された場合、送信されたきた前記メッセージを前記投射対象に投射する第１４の本発明の端末装置である。
【００３４】
また、第１８の本発明は、前記メッセージには、端末装置を使用するユーザを特定するＩＤが含まれており、
前記投射手段は、端末装置から前記メッセージが送信されてきた場合、前記ＩＤをも表示する第１７の本発明の端末装置である。
【００３５】
また、第１９の本発明は、前記投射手段は、一つまたは複数の端末装置から前記メッセージが送信されてきた場合、それらのメッセージを表示する第１７の本発明の端末装置である。
【００３６】
また、第２０の本発明は、前記プロジェクタ装置は、指示された場合、送信されてきた前記メッセージを前記投射対象とは異なる表示画面に表示する第２の表示手段を有する第１４の本発明の端末装置である。
【００３７】
また、第２１の本発明は、前記メッセージには、前記端末装置を使用するユーザを特定するＩＤが含まれており、
前記第２の表示手段は、前記端末装置から前記メッセージが送信されてきた場合、前記ＩＤをも表示する第２０の本発明の端末装置である。
【００３８】
また、第２２の本発明は、前記第２の表示手段は、一つまたは複数の端末装置から前記メッセージが送信されてきた場合、それらのメッセージを表示する第２０の本発明の端末装置である。
【００３９】
また、第２３の本発明は、前記メッセージは、前記画像情報及び前記画像情報に付されたアンダーライン、または前記画像情報に付されたアンダーライン、または前記画像情報に関連する質問、または前記画像情報に関連する感想である第１４の本発明の端末装置である。
【００４０】
また、第２４の本発明は、ユーザによって前記メッセージが入力された場合、そのメッセージに対応する前記画像情報の部分にしおりを付けることが出来るしおり付加手段を備え、
前記第１の表示手段は、そのしおりが指示されると、そのしおりに対応する前記メッセージを呼び出して表示することが出来る第１５の本発明の端末装置である。
【００４１】
また、第２５の本発明は、光指示手段で指示され、前記投射対象に投射されている前記画像情報を撮像する撮像手段を備え
前記投射対象に投射されている前記画像情報の全部または一部が指示されるとは、前記光指示手段で前記投射対象に投射されている前記画像情報の全部または一部を指示することであり、
前記変換手段は、前記撮像手段が撮像した画像情報から前記光指示手段が指示している位置情報を解析して求め、
前記送信手段は、求められた前記位置情報を前記メッセージとして前記プロジェクタ装置に送信する第１６の本発明の端末装置である。
【００４２】
また、第２６の本発明は、プロジェクタ装置と、端末装置とを備えたプロジェクタシステムに用いられる投射方法であって、
前記プロジェクタ装置は、入力された画像情報を投射対象に投射する投射ステップと、メッセージが送信されてきた場合、そのメッセージを受信して保存する受信ステップとを有し、
前記端末装置は、前記画像情報に関連する前記メッセージが入力された場合、その入力されたメッセージを前記プロジェクタ装置に送信する送信ステップを有する投射方法である。
【００４３】
また、第２７の本発明は、入力された画像情報を投射対象に投射する投射手段と、
入力された前記画像情報とともに、前記画像情報とは異なった情報を重畳させて表示する表示手段とを備えたプロジェクタ装置である。
【００４４】
また、第２８の本発明は、入力された画像情報を投射対象に投射する投射ステップと、
入力された前記画像情報とともに、前記画像情報とは異なった情報を重畳させて表示する表示ステップとを備えた投射方法である。
【００４５】
また、第２９の本発明は、入力された画像情報を投射対象領域に投射するプロジェクタ装置によって前記投射対象領域に投射された画像に光をあてることによって指示する光指示手段と、
前記光指示手段が前記投射対象領域に向いているかどうかを判定する向き判定手段とを備え、
前記光指示手段は、前記光指示手段が前記投射対象領域に向いていないと判定された場合、前記光を出力しないまたは前記光の強さを所定の強さ以下に低減する光指示装置である。
【００４６】
また、第３０の本発明は、前記向き検出手段は、方位センサ及び／または角度センサを含む第２９の本発明の光指示装置である。
【００４７】
また、第３１の本発明は、前記光指示手段が示す向きを撮像する撮像手段を備え、
前記投射対象領域内または前記投射対象領域から所定の距離の範囲内にマーカが設けられており、
前記向き判定手段は、前記撮像手段が撮像した画像とマーカとの関係に基づいて前記光指示手段が前記投射対象領域に向いているかどうかを判定する第２９の本発明の光指示装置である。
【００４８】
また、第３２の本発明は、前記光指示手段が示す向きを撮像する撮像手段を備え、
前記投射対象領域に投射された画像自身にマーカが映し出されており、
前記向き判定手段は、前記撮像手段が撮像した画像とマーカとの関係に基づいて前記光指示手段が前記投射対象領域に向いているかどうかを判定する第２９の本発明の光指示装置である。
【００４９】
また、第３３の本発明は、前記マーカは、投射された前記画像の縁である第３２の本発明の光指示装置である。
【００５０】
また、第３４の本発明は、入力された画像情報を投射対象領域に投射するプロジェクタ装置によって前記投射対象領域に投射された画像に光をあてることによって指示する光指示ステップと、
前記光指示手段が前記投射対象領域に向いているかどうかを判定する向き判定ステップとを備え、
前記光指示ステップは、前記光指示ステップが前記投射対象領域に向いていないと判定された場合、前記光を出力しないまたは前記光の強さを所定の強さ以下に低減する光指示方法である。
【００５１】
また、第３５の本発明は、第２の本発明のプロジェクタ装置の、前記画像情報に関連するメッセージが入力された場合、その入力されたメッセージを前記プロジェクタ装置に送信する送信手段を有する端末装置から前記メッセージが送信されてきた場合、そのメッセージを受信して保存する受信手段としてコンピュータを機能させるためのプログラムである。
【００５２】
また、第３６の本発明は、第１４の本発明の端末装置の、入力された画像情報を投射対象に投射する投射手段と、メッセージが送信されてきた場合、そのメッセージを受信して保存する受信手段とを有するプロジェクタ装置に、前記メッセージが入力された場合、その入力されたメッセージを前記プロジェクタ装置に送信する送信手段としてコンピュータを機能させるためのプログラムである。
【００５３】
また、第３７の本発明は、第２９の本発明の光指示装置の、前記光指示手段が前記投射対象領域に向いているかどうかを判定するの向き判定手段としてコンピュータを機能させるためのプログラムである。
【００５４】
また、第３８の本発明は、第３５〜３７の本発明のいずれかのプログラムを担持した記録媒体であって、コンピュータにより処理可能な記録媒体である。
【発明の効果】
【００５５】
本発明は、発表中に質問があった場合、聴取は発表が終わるまで待つ必要がなく、また、発表者は、発表中に聴衆からの質問を知ることが出来るプロジェクタシステム、プロジェクタ装置、端末装置、投射方法、プログラム、及び記録媒体を提供することが出来る。
【００５６】
また、本発明は、質問用紙を配布したり、質問用紙を回収したりする手間がかからないプロジェクタシステム、プロジェクタ装置、端末装置、投射方法、プログラム、及び記録媒体を提供することが出来る。
【００５７】
また、本発明は、誤ってレーザポインタを聴衆の方に向けても安全である光指示装置、光指示方法、プログラム、及び記録媒体を提供することが出来る。
【発明を実施するための最良の形態】
【００５８】
以下に、本発明の実施の形態を図面を参照して説明する。
【００５９】
（第１の実施の形態）
まず、第１の実施の形態について説明する。
【００６０】
図１は、第１の実施の形態におけるプロジェクタシステム５０の概略構成図である。
【００６１】
第１の実施の形態のプロジェクタシステム５０は、プロジェクタ装置１と、端末装置３ａ、３ｂ、３ｃ、３ｄと、スクリーン４とから構成される。
【００６２】
プロジェクタ装置１は、予め入力された画像情報を投射レンズ２からスクリーン４の画面領域であるメイン画面５に投射することにより表示し、また、端末装置３ａ、３ｂ、３ｃ、３ｄから送信されてきたメッセージを受信して保存する装置である。
【００６３】
また、端末装置３ａ、３ｂ、３ｃ、３ｄは、発表者以外の各参加者にそれぞれ割り当てられ、それらの参加者が使用する端末であり、各参加者が予め入力された画像情報に関連するメッセージを入力した場合、そのメッセージをプロジェクタ装置１に送信する装置である。
【００６４】
なお、図１では、端末装置３ａ、３ｂ、３ｃ、３ｄの数は４台であるが、これに限らず、１台または複数台の端末装置が設置されていても構わない。
【００６５】
図２に、端末装置３とプロジェクタ装置１の詳細な構成を示す。なお、端末装置３ａ、３ｂ、３ｃ、３ｄは、図２では端末装置３として示している。
【００６６】
端末装置３は、第１の制御手段６、入力手段７、第１の表示手段８、第１の記憶手段９、及び第１の通信手段１０から構成される。
【００６７】
第１の制御手段６は、入力手段７、第１の表示手段８、第１の記憶手段９、第１の通信手段１０を制御する手段である。
【００６８】
入力手段７は、入力され、メイン画面５に表示される画像情報に関連する質問などのメッセージを入力し、また端末装置３を操作するための操作命令を入力する手段であり、例えばキーボードやマウスを含むものである。
【００６９】
第１の表示手段８は、端末装置３に設けられた表示画面を有し、プロジェクタ装置１から送られてきた画像情報をこの表示画面に表示する手段であり、例えば液晶表示装置を含むものである。
【００７０】
第１の記憶手段９は、入力手段７から入力されたメッセージを保存したり、プロジェクタ装置１がスクリーン４のメイン画面５に投射する画像情報をプロジェクタ装置１から受け取って保存する手段であり、例えば、半導体メモリやハードディスク装置である。
【００７１】
第１の通信手段１０は、入力手段７から入力されたメッセージをプロジェクタ装置１に送信し、また、プロジェクタ装置１から送信されてきた画像情報を受け取る手段である。
【００７２】
プロジェクタ装置１は、第２の制御手段１１、画像情報入力手段１２、指示手段１３、第２の記憶手段１４、第２の通信手段１５、投射手段１６、及び第２の表示手段１７から構成される。
【００７３】
第２の制御手段１１は、画像情報入力手段１２、指示手段１３、第２の記憶手段１４、第２の通信手段１５、投射手段１６、及び第２の表示手段１７を制御する手段である。
【００７４】
画像情報入力手段１２は、スクリーン４のメイン画面５に投射する画像情報を入力する手段であり、例えば半導体メモリ、光ディスク媒体、光磁気ディスク媒体、磁気ディスク媒体などの記録媒体に格納されている画像情報を読みとる装置である。
【００７５】
指示手段１３は、スクリーン４のメイン画面５に投射する画像情報を選択したり、端末装置３から送信されてきたメッセージをスクリーン４のメイン画面５や後述する図３に示すサブ画面１８に表示するなど、プロジェクタ装置１を操作するための命令を入力する手段である。指示手段１３は例えばリモコンである。
【００７６】
第２の記憶手段１４は、画像情報入力手段１２から入力された画像情報を保存し、また、端末装置３から送信されてきたメッセージを保存する手段であり、例えば半導体メモリやハードディスク装置などである。
【００７７】
第２の通信手段１５は、端末装置３に画像情報入力手段１２から入力された画像情報を送り出し、また端末装置３から送信されてきたメッセージを受信する手段である。
【００７８】
投射手段１６は、投射レンズ２を備えており、画像情報入力手段１２から入力された画像情報を画像に変換し、変換した画像を、投射レンズ２によりスクリーン４のメイン画面５に投射する手段である。
【００７９】
第２の表示手段１７は、プロジェクタ装置１に設けられたサブ画面１８を有し、画像情報入力手段１２から入力された画像情報を表示したり、また、画像情報入力手段１２から入力された画像情報を表示するとともに、端末装置３から送信されてきたメッセージを画像情報に重畳させて表示する手段である。なお、サブ画面１８については後述する。
【００８０】
図３に、プロジェクタ装置１のメイン画面５とサブ画面１８との構成を示す。プロジェクタ装置１の投射レンズ２の向かう方向にスクリーン４が設けられており、スクリーン４には画像情報が投射される領域であるメイン画面５がある。そして、サブ画面１８が、プロジェクタ装置１の投射レンズ２とは反対側に設けられている。
【００８１】
次に、このような本実施の形態の動作を説明する。
【００８２】
参加者が会議をしており、１名が発表者であり、プロジェクタ装置１を使ってスクリーン４のメイン画面５に画像情報を投射しながら説明を行い、残りの参加者がその発表を聴く聴衆であるとする。聴衆のそれぞれには、端末装置３ａ、３ｂ、３ｃ、３ｄなどが一台ずつ割り当てられる。すなわち、それぞれの聴衆はそれぞれに割り当てられた端末３ａ、３ｂ、３ｃ、３ｄを操作するものとする。
【００８３】
会議を始める前に、発表者は、プロジェクタ装置１の指示手段１３を操作して、発表に使用する画像情報をプロジェクタ装置１に入力させる。
【００８４】
すなわち、指示手段１３から画像情報を入力する指示が入力された場合、第２の制御手段１１は、画像情報入力手段１２が画像情報を読み込むように制御する。この制御に従って、画像情報入力手段１２は、半導体メモリ、光ディスク媒体、光磁気ディスク媒体、磁気ディスク媒体などの記録媒体に格納されている画像情報を入力する。第２の制御手段１１は、画像情報入力手段１２から入力された画像情報を第２の記憶手段１４に出力し、第２の制御手段１１の制御に従って第２の記憶手段１４が画像情報を保存する。
【００８５】
次に、発表者が発表を始める際、発表者は、スクリーン４のメイン画面５に第２の記憶手段１４に保存されている画像情報を投射するよう指示手段１３を操作して指示する。
【００８６】
第２の制御手段１１は、指示手段１３から画像情報を投射する指示を受け取ると、投射手段１６が第２の記憶手段１４に格納されている画像情報をスクリーン４のメイン画面５に投射するよう制御する。投射手段１６は、第２の記憶手段１４に保存されている画像情報を第２の制御手段１１から受け取ると、その画像情報を光学的な画像に変換し、投射レンズ２によってスクリーン４のメイン画面５に投射する。
【００８７】
図４にメイン画面５に投射されている画像を画像５２として示す。
【００８８】
第２の制御手段１１は、投射手段１６によってスクリーン４のメイン画面５に画像５２が投射されると、次に、第２の通信手段１５が画像５２に対応する画像情報を各端末装置３ａ、３ｂ、３ｃ、３ｄに送信するように制御する。この制御に従って、第２の通信手段１５は、各端末装置３ａ、３ｂ、３ｃ、３ｄに画像５２に対応する画像情報を送信するとともに、送信した画像情報を端末装置３ａ、３ｂ、３ｃ、３ｄに表示させるためのコマンドを送信する。
【００８９】
以下各端末装置３ａ、３ｂ、３ｃ、３ｄとして端末装置３を代表として説明を進める。端末装置３の第１の通信手段１０は、第２の通信手段１５から画像５２に対応する画像情報と、この画像情報を表示することを指示するコマンドを受け取ると、第１の制御手段６に出力する。第１の制御手段６は、このコマンドに従って、第１の記憶手段９に画像５２に対応する画像情報を一旦記憶させる。そして、第１の制御手段６は、第１の表示手段８が、画像５２に対応する画像情報を表示するよう制御する。この制御に従って、第１の記憶手段９から読み出された画像５２に対応する画像情報は、第１の制御手段６から第１の表示手段８に出力される。第１の表示手段８は、第１の制御手段６の制御に従って、第１の制御手段６から出力されてくる画像５２に対応する画像情報を第１の表示手段８の表示画面に表示する。従って、第１の表示手段８の表示画面には、画像５２が表示される。
【００９０】
このようにしてスクリーン４のメイン画面５に、図４の画像５２が表示されるとともに、各端末装置３ａ、３ｂ、３ｃ、３ｄの第１の表示手段８の画面にも、画像５２が表示される。従って、聴衆は、第１の表示手段８の表示画面によっても、またスクリーン４のメイン画面５によっても画像５２を確認することが出来る。
【００９１】
発表者は、スクリーン４のメイン画面５に投射された画像５２を例えば図９に示すレーザポインタ３０で指し示しながら説明を進めている。なお、レーザポインタ３０については、後ほど詳細に説明する。
【００９２】
発表者がこのようにスクリーン４のメイン画面５に投射された画像５２をレーザポインタ３０で指し示しながら画像５２に関連する説明を行っている最中に、端末装置３を使用する聴衆が、その発表者の発表について疑問点があるので質問したいと思ったとする。
【００９３】
このような場合、端末装置３を使用する聴衆は、第１の表示手段８の画面に表示されている画像５２を見ながら、画像５２の質問のある箇所にアンダーラインを引くよう入力手段７を操作する。入力手段７は、端末装置３を使用する聴衆によって操作されると、第１の制御手段６にアンダーラインを引く操作命令を出力する。第１の制御手段６は、入力手段７からの操作命令を受け取ると、第１の表示手段８がアンダーラインを引くよう制御する。第１の制御手段６の制御に従って、第１の表示手段８は、図５（ａ）に示すようにアンダーライン５３を画像５４に表示する。また、第１の制御手段６は、アンダーライン５３を引く操作命令を第１の記憶手段９に保存するとともに、第１の記憶手段９に保存されている画像５２に対応する画像情報にアンダーライン５３を引く操作命令を関連付ける。
【００９４】
この関連付けは次のように行えばよい。すなわち、アンダーライン５３を引く操作命令を第１の記憶手段９に保存する際に、アンダーライン５３を引く操作命令を特定するＩＤを生成し、このＩＤをアンダーライン５３を引く操作命令とともに記憶手段９に保存する。また、画像情報にも画像情報を特定するＩＤが付加されているものとする。すなわち、画像情報を特定するＩＤは、画像情報がプロジェクタ装置１から送られてくる際に、プロジェクタ装置１から画像情報とともに送られてくるものとする。このようなＩＤを利用して、上記の関連付けを行うことが出来る。すなわち、画像情報を特定するＩＤと、アンダーライン５３を引く操作命令を特定するＩＤとを組にした情報を生成すればよい。この情報により、第１の記憶手段９に保存されている画像５２に対応する画像情報にアンダーライン５３を引く操作命令を関連付けることが出来る。
【００９５】
このように端末装置３を使用する聴衆は、発表者の発表の最中であっても第１の表示手段８の画面に表示されている画像５４にアンダーライン５３を付加することによって質問箇所を指摘することが出来る。
【００９６】
次に端末装置３を使用する聴衆は、アンダーライン５３が質問であることと、アンダーライン５３を確定することとを指示する指示を入力手段７から入力する。この指示は、例えば、入力手段７がキーボードである場合には、キーボードに設けられた質問確定ボタン（図示せず）を押すことにより入力することが出来る。
【００９７】
入力手段７に、アンダーライン５３が質問であることと、アンダーライン５３を確定することとを指示する指示が入力されると、入力手段７はこの指示を第１の制御手段６に出力する。第１の制御手段６は、入力手段７からこの指示を受け取ると、第１の記憶手段９から画像５２に対応する画像情報と、アンダーライン５３を引く操作命令と、アンダーライン５３を引く操作命令と画像５２に対応する画像情報とを関連付ける情報とを読み出す。そして、第１の制御手段６はこれらの情報を第１の通信手段１０に出力するとともに、端末装置３を使用する聴衆のユーザＩＤをも通信手段１０に出力する。なお、端末装置３を使用する聴衆のユーザＩＤは会議を始める前に聴衆によって予め入力されているものとする。そして第１の制御手段６は、これらの情報を第２の通信手段に送信するよう第１の通信手段１０を制御する。
【００９８】
第１の通信手段１０は、第１の制御手段６の制御に従って、画像５２に対応する画像情報と、アンダーライン５３を引く操作命令と、アンダーライン５３を引く操作命令と画像５２に対応する画像情報とを関連付ける情報と、端末装置３を使用する聴衆のユーザＩＤとを第２の通信手段１５に送信する。
【００９９】
なお、アンダーライン５３を引く操作命令と画像５２に対応する画像情報とを関連付ける情報は、上述したように、画像情報を特定するＩＤとアンダーライン５３を引く操作命令を特定するＩＤとを組にした情報である。
【０１００】
第２の通信手段１５は、第１の通信手段１０から送信されてきた情報を受信すると、第２の制御手段１１にこれらの情報を出力するとともに、端末装置３から質問が送信されてきたことを通知する。
【０１０１】
第２の制御手段１１は、第２の通信手段１５からこれらの情報を受け取り、端末装置３から質問が送信されてきたことが通知されると、まず、第２の記憶手段１４にこれらの情報を記憶させる。その後、第２の制御手段１１は、第２の表示手段１７が、これらの情報を第２の表示手段１７の表示画面すなわち図３のサブ画面１８に表示するように制御する。第２の制御手段１１の制御に従って、第２の表示手段１７は、これらの情報をサブ画面１８に表示する。
【０１０２】
図５（ｂ）に、第２の表示手段１７によってサブ画面１８に表示された画像５６を示す。画像５６の上端には、５１に示すように端末装置３の第１の通信手段１０から送信されてきたユーザＩＤが表示されており、誰が質問をおこなったかを知ることが出来る。なお、図５（ｂ）では、ユーザＩＤを表示しているが、ユーザＩＤと聴衆の氏名を対応付けるテーブルをプロジェクタ装置１が予め保持しておくことにより、ユーザＩＤに代えて、聴衆の氏名を表示しても構わない。また、図５（ｂ）では、端末装置３を使用する聴衆によって入力されたアンダーライン５５も表示されている。従って、プロジェクタ装置１を操作しながら発表している発表者は、発表の最中であっても、聴衆からの質問の内容を知ることが出来る。また、端末装置３を使用している聴衆は、発表者の発表の最中でも自由に発表者に質問などのメッセージを送ることが出来る。
【０１０３】
なお、発表ページ、行数、アンダーラインを引いた箇所、入力された質問とアンダーラインを引いた箇所との対応、質問内容そのものなどのデータと、ユーザＩＤとの関連付けは以下のように行えばよい。すなわち、上述したように、画像５２に対応する画像情報と、アンダーライン５３を引く操作命令と、アンダーライン５３を引く操作命令と画像５２に対応する画像情報とを関連付ける情報と、端末装置３を使用する聴衆のユーザＩＤとを第２の通信手段１５に送信する際に聴衆のユーザＩＤをも第２の通信手段１５に送信することにより、上述した関連付けを行うことが出来る。
【０１０４】
このようにして、発表者が発表している最中に、図３のサブ画面１８には図５（ｂ）の画像５６が表示され、また、スクリーン４のメイン画面５には、図４の画像５２が表示されている。このように、プロジェクタ装置１は、投射手段１６によってスクリーン４のメイン画面５に画像５２を表示するとともに、サブ画面１８には、画像５２とともに、画像５２とは異なった情報を重畳させて表示する。
【０１０５】
従って、発表者は発表を中断することなく、聴衆の誰から質問が発せられたのかを容易に知ることが出来る。
【０１０６】
また、発表者が発表中に、図３のサブ画面１８により、聴衆から質問が発せられたのを知り、しかもその質問を聴衆全員に明らかにし、回答を聴衆全員に説明した方がよいと思った場合には、発表者は、図３のサブ画面１８に表示されている画像５６をスクリーン４のメイン画面５に投射するよう指示手段１３を操作して指示する。
【０１０７】
そうすると、指示手段１３は、第２の制御手段１１にその指示を通知し、第２の制御手段１１は、投射手段１６が画像５６を投射し、また、第２の表示手段１７が画像５２を表示するよう制御する。
【０１０８】
この制御に従って、投射手段１６は、画像５６をスクリーン４のメイン画面５に投射し、第２の表示手段１７は、画像５２をサブ画面１８に表示する。このようにサブ画面１８に投射されていた画像とメイン画面５に表示されていた画像を互いに入れ替えることが出来る。
【０１０９】
発表者は、スクリーン４のメイン画面５に投射された画像５６をレーザポインタ３０で指示しながら、質問内容を端末装置３を使用する聴衆に確認し、聴衆全員に説明することが出来る。
【０１１０】
また、メイン画面に表示されていた画像５２をサブ画面１８に表示せず、サブ画面１８には画像５６を表示し続けることも出来る。
【０１１１】
このように、プロジェクタ装置１は、端末装置３から送信されてきた質問などのメッセージをメイン画面５に投射する前に一旦サブ画面１８に表示するので、発表を中断することなく、聴衆から質問があったことを発表中に知ることが出来る。また、サブ画面１８に表示されている質問などの聴衆からのメッセージをメイン画面５に投射するよう切り替えることが出来るので、発表の最中に必要に応じて質問に対する回答を聴衆全員に説明することが出来る。
【０１１２】
また、会議の前に事前に質問を記入するための質問用紙などを配布する必要もなく、また聴衆が質問したかどうかを確認するために質問用紙を回収する必要もないので、手間をかけずに聴衆の質問を知ることが出来るようになる。
【０１１３】
なお、プロジェクタ装置１のサブ画面１８には、端末装置３などから質問が送信されてきた場合、図５（ｂ）の画像５６が表示されるとして説明した。すなわち、質問をした聴衆のユーザＩＤ５１と質問箇所を示すアンダーライン５５とがもとの画像５２に重畳された画像５６が表示されるとして説明したが、これに限らない。
【０１１４】
端末装置３の入力手段７から端末装置３を使用する聴衆が質問を文章で入力することも出来る。このような場合には、端末装置３から質問であるメッセージが送信されてきた場合、サブ画面１８には、図６の画像５８が表示される。すなわち、サブ画面１８には、もとの画像５２に、端末装置３を使用する聴衆のユーザＩＤ５１、アンダーライン５５、及び文章で入力された質問５８が重畳された画像５８が表示される。
【０１１５】
このように質問として質問箇所をアンダーラインで示すだけでなく直接質問内容を文章で入力することも可能である。
【０１１６】
さらに、端末装置３からプロジェクタ装置１に送信され、プロジェクタ装置１で投射または表示されるメッセージは、本実施の形態では、聴衆が端末装置３に入力したアンダーラインともとの画像情報であるとして説明したが、これに限らず、アンダーラインのみでもよく、また上述したような文章で入力された質問でもよく、また、もとの画像に関連する文章で入力された感想であっても構わない。
【０１１７】
さらに、聴衆が多数いて、端末装置３などが多数設置されている場合などは、複数の質問がほぼ同時に端末装置３などから送信されてくる場合も起こり得る。このような場合には、各端末装置３から送信されてきた、図５（ｂ）の画像５６や図６の画像５７などをプロジェクタ装置１のサブ画面１８にサムネール画像表示すればよい。あるいは、メッセージを送信した聴衆のＩＤの一覧をサブ画面１８に表示するようにしてもよい。
【０１１８】
サムネール画像をサブ画面１８に表示する場合には、発表者が指示手段１３でサムネール画像を選択することにより、第２の表示手段１７が、選択されたサムネール画像を拡大して表示することが出来る。
【０１１９】
また、メッセージを送信した聴衆のＩＤの一覧をサブ画面１８に表示する場合には、発表者が指示手段１３で特定のＩＤを選択することにより、第２の表示手段１７が選択されたＩＤのメッセージを表示することが出来る。
【０１２０】
このように複数の端末装置３からメッセージが送信されてきた場合であっても、サブ画面１８にメッセージをサムネール表示するかまたはメッセージを送信した聴衆のユーザＩＤの一覧を表示することにより、容易に複数のメッセージを処理することが出来るようになる。
【０１２１】
さらに、発表者は発表中に図４の画像５２などの複数の画像を順番にスクリーン４のメイン画面５に投射しながら説明していく。このように次々とスクリーン４のメイン画面５に投射される画像を見ながら、端末装置３を使用する聴衆は、質問があった場合に質問内容を入力していく。このような場合には、スクリーン４のメイン画面５に投射されているどの画像に対して質問したかを端末装置３を使用するユーザが憶えておくために、しおりを付加することが出来る。
【０１２２】
図７（ａ）にしおり２２が付加された画像を示す。すなわち、図７（ａ）の画像２１には、質問６１の上端にしおり２２が付加されている。端末装置３の第１の表示手段８の表示画面に画像２１が表示されているとき、端末装置３を使用する聴衆が質問を入力手段７を操作して入力したとする。この質問を憶えておくためには、聴衆は入力手段７を操作してしおり２２を付加することを指示すればよい。図７（ａ）の画像２１は、このように入力手段７からしおり２２を付加することが指示されることにより生成された画像である。
【０１２３】
入力手段７を聴衆が操作して第１の表示手段８に発表者が発表する画像をサムネール表示するよう指示すると、第１の表示手段８は、第１の制御手段６の制御に従って、図７（ｂ）の画像２３に示すように、発表者が発表する画像情報をサムネール表示する。このときしおり２２が付加された画像は、図７（ｂ）のしおり２２に示すように、しおり２２のマークが表示されるので、しおり２２のマークが付加された画像に関連する質問をしたことを、端末装置３を使用する聴衆が思い出すことが出来る。そして、この聴衆が入力手段７を操作して、サムネール画像のうちしおり２２のマークが付いた画像を選択することにより、第１の表示手段８は、第１の制御手段６の制御に従って、図７（ａ）の画像２１を再度表示する。画像２１には質問６１も表示される。このように、端末装置３を使用する聴衆によってメッセージが入力された場合、そのメッセージに対応する画像情報の部分にしおりを付けることが出来、発表者が発表する画像のサムネール表示からしおりの付加されたサムネール画像が指示されると、そのしおりに対応するメッセージを呼び出して表示することが出来る。
【０１２４】
なお、しおりに対応するメッセージを呼び出す際に、発表者が発表する画像を第１の表示手段８にサムネール表示するとして説明したが、これに限らず、しおり２２のマークの一覧を表示して、入力手段７によって、いずれかのしおり２２のマークの一覧が選択された場合、第１の表示手段８が選択されたしおり２２に対応する質問６１を呼び出して表示するようにすることも出来る。なお、このとき選択されたしおり２２に対応する質問６１を呼び出して表示する際、発表者が発表する画像をも重畳させて表示しても構わないし、重畳させないで表示しても構わない。
【０１２５】
なお、本実施の形態では、プロジェクタ装置１の投射手段１６によって投射されるスクリーン４のメイン画面と第２の表示手段１７の表示画面であるサブ画面１８があるとして説明したが、第２の表示手段１７を備えていない構成も可能である。すなわち、図８に、第２の表示手段１７を備えていないプロジェクタ装置２４の構成を示す。図８において、端末装置３は、本実施の形態と同様の構成であり、プロジェクタ装置２４は、第２の表示手段１７を備えていない点を除いてプロジェクタ装置１と同様である。
【０１２６】
このような場合には、端末装置３から送信されてきたメッセージは、第２の表示手段１７ではなく直接投射手段１６によってスクリーン４のメイン画面５に投射する以外は上記実施の形態と同様である。また、この場合には、メイン画面５を端末装置３から送られてきたメッセージを投射する領域と発表者が発表する画像を投射する領域との２つの画面に分けて、メッセージを投射する領域には、聴衆から送られてきたメッセージを表示し、発表者が発表する画像を投射する領域には発表者が発表する画像を表示することも出来る。そして、メッセージを投射する領域を発表者が発表する画像を表示する領域よりも相対的に狭くすることにより、メッセージがさほど目立たなくなり、発表者が発表する画像の方に聴衆の注意が集中することになる。そして、発表者がメッセージについて説明したい場合には、メッセージを表示する領域に表示されたメッセージを発表者が発表する画像を表示する領域に表示するよう表示領域を切り替えればよい。このようにすれば、上記実施の形態でメイン画面５に投射されている画像とサブ画面１８に表示されている画像とを切り替える説明をそのまま図８のプロジェクタ装置２４にも適用することが出来、上記実施の形態と同等の効果を得ることが出来る。
【０１２７】
なお、本実施の形態では、第１の表示手段８が液晶表示装置を含むものであるとして説明したが、これに限らずＥＬディスプレイなど、要するに第１の表示手段８は画像情報を表示出来る装置を含むものでありさえすればよい。
【０１２８】
さらに、入力手段７は、キーボードやマウスを含むとして説明したが、第１の表示手段８に操作のためのメニューが表示されるＧＵＩ（Ｇｒａｐｈｉｃｓ  Ｕｓｅｒ  Ｉｎｔｅｒｆａｃｅ）であっても構わない。
【０１２９】
さらに、本実施の形態では、画像情報入力手段１２は、記録媒体に格納されている画像情報を読みとる装置であるとして説明したが、これに限らず、ＬＡＮや無線ＬＡＮなどのネットワークを介して画像情報を入力するインターフェースであってもよい。
【０１３０】
さらに、本実施の形態では、指示手段１３は、リモコンであるとして説明したが、キーボードやマウスであっても構わないし、また、第２の表示手段１７に操作のためのメニューを表示し、表示されたメニューを指示することによって指示を入力するＧＵＩであっても構わない。
【０１３１】
さらに、本実施の形態では、聴衆のユーザＩＤが会議を始める前に聴衆によって予め入力されているものとして説明したが、聴衆のユーザＩＤの代わりに端末装置を特定するための機器ＩＤを用いても構わない。また、聴衆がユーザＩＤを入力する代わりに会議の主催者が予め座席表に基づいて各聴衆のユーザＩＤを割り当てられた端末３に入力しても構わない。また、ユーザＩＤは、聴衆を一意に特定出来るものでありさえすればよく、例えば聴衆の氏名であっても構わない。
【０１３２】
さらに、本実施の形態では、サブ画面１８が、プロジェクタ装置１の投射レンズ２とは反対側に設けられているとして説明したが、これに限らない。サブ画面１８が、プロジェクタ装置１から脱着可能であっても構わない。この場合サブ画面１８をプロジェクタ装置１から取り外して使用する場合には、サブ画面１８とプロジェクタ装置１とは無線ＬＡＮや有線ＬＡＮなどで互いに通信することが出来るものとする。
【０１３３】
（第２の実施の形態）
次に、第２の実施の形態について説明する。
【０１３４】
図１に、第２の実施の形態のプロジェクタシステム５０の概略構成を示す。第２の実施の形態のプロジェクタシステム５０の概略構成は、第１の実施の形態と同様であるので、詳細な説明を省略する。
【０１３５】
図９に、端末装置２５とプロジェクタ装置１の詳細な構成を示す。なお、端末装置３ａ、３ｂ、３ｃ、３ｄは、図９では端末装置２５として示している。
【０１３６】
端末装置２５と第１の実施の形態の端末装置３との相違点は端末装置３が入力手段７を備えていたのに対して端末装置２５は入力手段６５、撮像手段２７、変換手段２６を備えている点である。
【０１３７】
撮像手段２７は、スクリーン４のメイン画面５に投射されている画像を撮像する手段であり、例えばＣＣＤカメラである。
【０１３８】
変換手段２６は、撮像手段２７で撮像された画像情報に対して画像処理を施すことによって、レーザポインタ２９がレーザ光を当てている場所の位置情報を検出し、また、レーザポインタ２９から送られてくる指示信号に基づいて、検出した位置情報をメッセージに変換する手段である。
【０１３９】
入力手段６５は、レーザポインタ２９から送られてくる指示信号を入力する手段である。
【０１４０】
レーザポインタ２９は、レーザ光をスクリーン４のメイン画面５に当てることによってメイン画面５に表示されている画像の特定の場所を指示する手段であり、また、入力手段６５に指示信号を送信する手段である。
【０１４１】
レーザポインタ２９には、図１０に示すように、発振ボタン３１、確定ボタン６３、質問ボタン６４が設けられている。発振ボタン３１はレーザ光３４を出力するためのボタンであり、確定ボタン６３は、レーザ光３４が示している位置を確定することを端末装置２５の入力手段６５に通知するためのボタンであり、質問ボタン６４は、入力手段６５に質問することを通知するためのボタンである。レーザポインタ２９の他の機能については後述する。
【０１４２】
端末装置２５のこれ以外の構成は第１の実施の形態の端末装置３の構成と同様あるので詳細な説明を省略する。
【０１４３】
また、プロジェクタ装置１については第１の実施の形態と同様であるので詳細な説明を省略する。
【０１４４】
次に、このような本実施の形態の動作を説明する。
【０１４５】
第１の実施の形態と同様にして、発表者が、プロジェクタ装置１によりスクリーン４のメイン画面５に図４に示す画像５２を投射しながら、発表しているものとする。
【０１４６】
このとき、端末装置２５を使用している聴衆が疑問点が出てきたので質問したいと思ったとする。
【０１４７】
このような場合、端末装置２５の聴衆は、レーザポインタ２９の質問ボタンを押す。そうすると、レーザポインタ２９は、赤外線通信により入力手段６５に質問が発生したことを通知する。
【０１４８】
入力手段６５は、質問が発生したことを第１の制御手段６に通知し、第１の制御手段６は変換手段２６を介して撮像手段２７に質問が発生したことを通知する。
【０１４９】
撮像手段２７は、質問が発生したことを通知されると、スクリーン４を自らが有するＣＣＤカメラで撮影する。そして撮影した画像情報を変換手段２６に出力する。
【０１５０】
端末装置２５を使用している聴衆は、画像５２で「２．○○×プレゼンテーションの内容」の部分について質問したいと思ったとする。このような場合、この聴衆は、質問のある箇所にアンダーラインを引くようレーザポインタ２９を操作する。
【０１５１】
この操作は次のように行う。すなわち、まず、レーザポインタ２９の発振ボタンを押してレーザポインタ２９を発振させる。次に、アンダーラインの始点となる位置にレーザポインタ２９のレーザ光３４をあてる。そして始点となる位置にレーザポインタ２９のレーザ光３４があたっている状態で、確定ボタン６３を押す。
【０１５２】
そうすると、レーザポインタ２９から赤外線通信により、入力手段６５に確定ボタン６３が押されたことが通知される。入力手段６５は確定ボタン６３が押されたことが通知されると、アンダーラインの始点を確定する指示を第１の制御手段６に通知する。第１の制御手段６はこの指示を変換手段２６に通知する。変換手段２６がアンダーラインの始点を確定する指示を通知されると、その時点で撮像手段２７から出力されてくる撮像された画像情報を画像処理し、レーザポインタ２９のレーザ光３４があたっている場所の位置情報を検出する。
【０１５３】
次に、アンダーラインの終点を確定するために、レーザポインタ２９のレーザ光３４をアンダーラインの終点となる位置にあてる。そして終点となる位置にレーザポインタ２９のレーザ光３４があたっている状態で、再度確定ボタン６３を押す。
【０１５４】
そうすると、レーザポインタ２９から赤外線通信により、入力手段６５に確定ボタン６３が再度押されたことが通知される。入力手段６５は確定ボタン６３が再度押されたことが通知されると、アンダーラインの終点を確定する指示を第１の制御手段６に通知する。第１の制御手段６はこの指示を変換手段２６に通知する。変換手段２６がアンダーラインの終点を確定する指示を通知されると、その時点で撮像手段２７から出力されてくる撮像された画像情報を画像処理し、レーザポインタ２９のレーザ光３４があたっている場所の位置情報を検出する。
【０１５５】
次に、変換手段２６は、アンダーラインの始点の位置情報と、アンダーラインの終点の位置情報と、そのアンダーラインが質問であることを示す情報とを第１の記憶手段９に保存されている画像５２に対応する画像情報に関連付ける情報を作成して、第１の記憶手段９に保存する。
【０１５６】
このようにして第１の記憶手段９には、画像５２に対応する画像情報と、アンダーラインを引く操作命令と、アンダーラインを引く操作命令と画像５２に対応する画像情報とを関連付ける情報とが作成され保存される。
【０１５７】
次に、第１の制御手段６は、これらの情報を第１の記憶手段９から読み出して、第１の通信手段１０がプロジェクタ装置１の第２の通信手段１５にこれらの情報と端末装置２５を使用する聴衆のユーザーＩＤとを送信するよう制御する。
【０１５８】
以下、第１の実施の形態と同様にして、第２の表示手段１７の表示画面には、図５（ｂ）に示す画像５６が表示される。
【０１５９】
このように、本実施の形態によれば、端末装置２５にキーボードやマウスの機能や、第１の表示手段８がなくても、プロジェクタ装置１に質問としてのメッセージを送信することが出来る。
【０１６０】
これ以外の動作は第１の実施の形態と同様であるので説明を省略する。
【０１６１】
なお、第２の実施の形態においても、プロジェクタ装置１は第１の実施の形態と同様に第２の表示手段１７を備えているとして説明したが、これに限らない。第２の表示手段１７を備えていない構成も可能である。
【０１６２】
図１１にこのような場合のプロジェクタ装置２４の構成を示す。なお、このプロジェクタ装置２４については第１の実施の形態で説明したものと同様であり、得られる効果も第１の実施の形態で説明したものと同様であるので詳細な説明を省略する。
【０１６３】
（第３の実施の形態）
次に、第３の実施の形態について説明する。
【０１６４】
第３の実施の形態では、図１のスクリーン４のメイン画面５に投射された画像を指し示すためのレーザポインタについて詳細に説明する。
【０１６５】
図１２に、第３の実施の形態のレーザポインタ３０を示す。また、図１３にレーザポインタ３０の構成を示す。なお、このレーザポインタ３０は、第１の実施の形態のプロジェクタシステム５０や第２の実施の形態のプロジェクタシステム５０で用いられるものである。
【０１６６】
レーザポインタ３０は、発振ボタン３１、方位計３２、角度センサ３３、校正ボタン７１、向き判定手段７２、レーザ発振器７３、レーザ光学系７４などを備えている。
【０１６７】
発振ボタン３１は、レーザ光３４を出力するためのスイッチである。
【０１６８】
方位計３２は、レーザポインタ３０のレーザ光３４が出力される向きの方位角を検出する手段である。
【０１６９】
角度センサ３３は、レーザポインタ３０のレーザ光３４が出力される向きの角度を検出する手段である。
【０１７０】
校正ボタン７１は、方位計３２及び角度センサ３３をスクリーン４のメイン画面５の中央位置を基準とするよう校正するためのボタンである。
【０１７１】
向き判定手段７２は、方位計３２で検出された方位角と角度センサ３３で検出された角度に基づいて、レーザ光学系７４からレーザ光３４を出力する方向がスクリーン４のメイン画面５の領域内であるかスクリーン４のメイン画面５の領域の外部であるかを判定する手段である。
【０１７２】
レーザ発振器７３はレーザ光３４を発振する手段であり、発振ボタン３１が押された際、向き判定手段７２がレーザ光を出力する方向がスクリーン４のメイン画面５の領域内であると判定した場合にレーザ光３４を発振する手段である。
【０１７３】
レーザ光学系７４は、レーザ光を導いてレーザポインタ３０から平行光として出力するための光学系である。
【０１７４】
なお、本実施の形態のレーザポインタ３０は本発明の光指示装置の例であり、本実施の形態のレーザ光学系７４及びレーザ発振器７３は本発明の光指示手段の例である。
【０１７５】
次に、このような本実施の形態の動作を説明する。
【０１７６】
レーザポインタ３０を発表者などが使用する前に校正する。この校正は以下のように行う。すなわち、レーザポインタ３０をスクリーン４のメイン画面５に向けて発振ボタン３１を押す。そうすると、レーザ発振器７３は発振し、レーザ光学系７４からレーザ光３４が出力される。そして、レーザ光３４がメイン画面５の中央位置に位置しているときに、校正ボタン７１を押す。そうすると、向き判定手段７２は、その時点で方位計３２が示す方位角を基準方位角として記憶し、またその時点で角度センサ３３が示す角度を基準角度として記憶する。
【０１７７】
このようにしてレーザポインタ３０が校正されると、発表者などがレーザポインタ３０を使用することが出来る。
【０１７８】
図１４にレーザポインタ３０を実際に使用している場面を示す。
【０１７９】
図１４において、レーザポインタ３０ａは、スクリーン４のメイン画面５の領域の外部に向いている。このような場合、発表者がレーザポインタ３０ａの発振ボタン３１を押しても、向き判定手段７２が、メイン画面５の領域の外部にレーザポインタ３０ａが向いていると判定するので、レーザ発振器７３はレーザ光３４を出力しない。このように向き判定手段７２は、方位計３２が示す方位角と角度センサ３３が示す角度とが、校正したときの基準となる方位角と校正したときの基準となる角度からそれぞれ所定の値以上ずれた場合に、メイン画面５の領域の外部にレーザポインタ３０ａが向いていると判定する。従って、このような場合レーザポインタ３０ａは、発振ボタン３１を押しても発振しないし、また、レーザポインタ３０ａがレーザ光３４を出力している状態であれば、その出力を停止する。
【０１８０】
また、図１４において、レーザポインタ３０ｂは、スクリーン４のメイン画面５の領域の内部を向いている。このような場合、発表者がレーザポインタ３０ｂの発振ボタン３１を押した場合、向き判定手段７２は、メイン画面５の領域の内部にレーザポインタ３０ｂが向いていると判定するので、レーザ発振器７３はレーザ光３４を出力する。従って、スクリーン４のメイン画面５にはレーザ光３４があたることになる。
【０１８１】
このように、本実施の形態のレーザポインタ３０を用いることにより、レーザポインタ３０が聴衆の目のある方向に向いたときに発振ボタンが押されたとしても、メイン画面５の領域の外部を向いているので、レーザ光３４を出力しない。また、発表者が誤って、レーザポインタ３０を聴衆の目の方に向けたとしても自動的にレーザポインタ３０が出力を停止する。従って、本実施の形態のレーザポインタ３０を用いることにより、安全に発表を続けることが出来る。
【０１８２】
なお、レーザポインタ３０の校正方法は上記に限るものではなく、例えば、メイン画面５の中央位置にレーザ光３４をあてて校正ボタンを押し、次に、メイン画面５の４端を順にレーザ光３４をあてて校正ボタンを押すという操作を行うものであってもよい。この校正方法では、レーザ光３４をメイン画面５の中央位置にあてて校正ボタンを押すことにより、方位計３２と角度センサ３３の基準位置が確定され、また、メイン画面５の４端を順にレーザ光３４をあてて校正ボタンを押すことにより、レーザ光３４を出力する方位角の範囲とレーザ光３４を出力する角度の範囲を求めることが出来る。このような校正方法を用い、また、この校正方法によって求められた方位角の範囲と角度の範囲を向き判定手段７２が記憶し、レーザポインタ３０のレーザ光３４を出力する向きがメイン画面５の領域の内部に向いているかどうかを判定する際に用いることにより、より正確にこれらの判定を行うことが出来るようになる。
【０１８３】
（第４の実施の形態）
次に、第４の実施の形態について説明する。
【０１８４】
第４の実施の形態では、図１のスクリーン４のメイン画面５に投射された画像を指し示すためのレーザポインタについて詳細に説明する。
【０１８５】
図１５に、第４の実施の形態のレーザポインタ３６を示す。また、図１６にレーザポインタ３６の構成を示す。なお、このレーザポインタ３６は、第１の実施の形態のプロジェクタシステム５０や第２の実施の形態のプロジェクタシステム５０で用いられるものである。
【０１８６】
レーザポインタ３６は、発振ボタン３１、向き判定手段７５、レーザ発振器７３、レーザ光学系７４、撮像手段７６などを備えている。
【０１８７】
撮像手段７６は、例えばＣＣＤカメラであり、レーザ光３４が出力される方向を中心として所定の範囲内の領域を撮像する手段である。
【０１８８】
向き判定手段７２は、撮像手段７６で撮像された画像を画像処理することにより後述するスクリーンマーカを検出する手段である。
【０１８９】
また、スクリーン４の４つの端部にはスクリーンマーカ３９が設けられている。
【０１９０】
それ以外は第３の実施の形態と同様であるので、詳細な説明を省略する。
【０１９１】
なお、本実施の形態のレーザポインタ３６は本発明の光指示装置の例であり、本実施の形態のレーザ光学系７４及びレーザ発振器７３は本発明の光指示手段の例である。
【０１９２】
次に、このような本実施の形態の動作を説明する。
【０１９３】
スクリーンマーカ３９は例えばピンポン玉大の電球であり、発光しているものとする。撮影手段７６は、レーザポインタ３６のレーザ光３４を出力する方向を撮像する。そして撮像した画像を向き判定手段７５に出力する。
【０１９４】
向き判定手段７５は、撮像された画像を画像処理することにより、スクリーンマーカ３９が撮像された画像に含まれている場合には、スクリーンマーカを検出する。
【０１９５】
そして、向き判定手段７５は、スクリーンマーカ３９が３個以上検出された場合には、レーザポインタ３６のレーザ光３４を出力する方向がスクリーン４に向いていると判定する。
【０１９６】
この場合、レーザ発振器７３は、発振ボタンが押されたまたは押されている場合には発振し、レーザ光学系７４を経由して、レーザ光３４がレーザポインタ３６から出力される。
【０１９７】
一方、向き判定手段７５は、スクリーンマーカ３９が２個以下しか検出しなかった場合には、レーザポインタ３６のレーザ光３４を出力する方向がスクリーン４には向いていないと判定する。
【０１９８】
この場合、レーザ発振器７３は、発振ボタン３１が押されている場合であっても、発振を停止し、また発振ボタン３１が新たに押されても発振しない。従って、レーザポインタ３６からはレーザ光３４が出力されることはない。
【０１９９】
このように、本実施の形態のレーザポインタ３６を用いることにより、レーザポインタ３６が聴衆の目のある方向に向いたときに発振ボタン３１が押されたとしても、メイン画面５の領域の外部を向いているので、レーザ光３４を出力しない。また、発表者が誤って、レーザポインタ３６を聴衆の目の方に向けたとしても自動的にレーザポインタ３６が出力を停止する。従って発表者はレーザポインタ２９を安全に使用することが出来る。
【０２００】
なお、本実施の形態では、スクリーンマーカ３９をスクリーン３９の４つの端部に設けるとして説明したがこれに限らない。スクリーンマーカを４つ以上設けても構わないし、また３つ以下しか設けなくても構わない。また、スクリーンマーカ３９として、図１７に示すように、スクリーン４の端部を代用しても本実施の形態と同様の効果を得ることが出来る。このような場合には、向き判定手段は、撮像手段が撮像した画像とマーカとの関係に基づいてレーザポインタがスクリーンの対象領域に向いているかどうかを判定すればよい。
【０２０１】
さらに、本実施の形態では、スクリーンマーカ３９をスクリーン４に設けるとして説明したが、これに限らない。スクリーンマーカ３９をプロジェクタ３５が投射しても構わない。このような場合であっても、投射されたスクリーンマーカを撮像手段７６が撮像し、向き判定手段７５が画像処理して投射されたスクリーンマーカを検出することにより本実施の形態の同様の効果を得ることが出来る。
【０２０２】
なお、本実施の形態では、メイン画面５の領域の外部にレーザポインタ３０が向いている場合には、向き判定手段７２が、メイン画面５の領域の外部にレーザポインタ３０が向いていると判定するので、レーザ発振器７３はレーザ光を出力しないとして説明したが、これに限らない。向き判定手段７２がメイン画面５の領域の外部にレーザポインタ３０が向いていると判定した場合には、レーザ光３４の出力のパワーを所定の値以下に低減しても構わない。なお、所定の値以下とは具体的にはレーザ光３４の出力のパワーをレーザポインタ３０がメイン画面５の領域に向いている場合のパワーの１／２０のパワー以下にすることである。
【０２０３】
さらに、向き判定手段は、メイン画面の領域の外部にレーザポインタが向いているかどうかを判定しても構わないし、スクリーンの領域の外部にレーザポインタが向いているかどうかを判定しても構わない。
【０２０４】
さらに、本実施の形態では、レーザ光を出力するレーザポインタについて説明したが、レーザ光以外の光を出力し、その出力した光でスクリーン上の場所を指示する装置にも上記実施の形態を同様に適用することが出来る。
【０２０５】
なお、本発明のプログラムは、上述した本発明のプロジェクタ装置の全部又は一部の手段の機能をコンピュータにより実行させるためのプログラムであって、コンピュータと協働して動作するプログラムである。
【０２０６】
又、本発明のプログラムは、上述した本発明の端末装置の全部又は一部の手段の機能をコンピュータにより実行させるためのプログラムであって、コンピュータと協働して動作するプログラムである。
【０２０７】
又、本発明のプログラムは、上述した本発明の光指示装置の全部又は一部の手段の機能をコンピュータにより実行させるためのプログラムであって、コンピュータと協働して動作するプログラムである。
【０２０８】
又、本発明の記録媒体は、上述した本発明のプロジェクタ装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０２０９】
又、本発明の記録媒体は、上述した本発明の端末装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０２１０】
又、本発明の記録媒体は、上述した本発明の光指示装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０２１１】
尚、本発明の上記「一部の手段」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【０２１２】
又、本発明の上記「手段の機能」とは、前記手段の全部又は一部の機能を意味し、本発明の上記「ステップ（又は、工程、動作、作用等）の動作」とは、前記ステップの全部又は一部の動作を意味する。
【０２１３】
又、本発明のプログラムの一利用形態は、コンピュータにより読み取り可能な記録媒体に記録され、コンピュータと協働して動作する態様であっても良い。
【０２１４】
又、本発明のプログラムの一利用形態は、伝送媒体中を伝送し、コンピュータにより読みとられ、コンピュータと協働して動作する態様であっても良い。
【０２１５】
又、本発明のデータ構造としては、データベース、データフォーマット、データテーブル、データリスト、データの種類などを含む。
【０２１６】
又、記録媒体としては、ＲＯＭ等が含まれ、伝送媒体としては、インターネット等の伝送媒体、光・電波・音波等が含まれる。
【０２１７】
又、上述した本発明のコンピュータは、ＣＰＵ等の純然たるハードウェアに限らず、ファームウェアや、ＯＳ、更に周辺機器を含むものであっても良い。
【０２１８】
尚、以上説明した様に、本発明の構成は、ソフトウェア的に実現しても良いし、ハードウェア的に実現しても良い。
【産業上の利用可能性】
【０２１９】
本発明に係るプロジェクタシステム、プロジェクタ装置、端末装置、投射方法、プログラム、及び記録媒体は、発表中に質問があった場合、聴取は発表が終わるまで待つ必要がなく、また、発表者は、発表中に聴衆からの質問を知ることが出来るという効果を有し、スクリーンなどの投射対象に画像情報を投射するプロジェクタシステム、プロジェクタ装置、端末装置、投射方法、プログラム、及び記録媒体等に有用である。
【０２２０】
また、本発明に係るプロジェクタシステム、プロジェクタ装置、端末装置、投射方法、プログラム、及び記録媒体は、質問用紙を配布したり、質問用紙を回収したりする手間がかからないという効果を有し、スクリーンなどの投射対象に画像情報を投射するプロジェクタシステム、プロジェクタ装置、端末装置、投射方法、プログラム、及び記録媒体等に有用である。
【０２２１】
また、本発明に係る光指示装置、光指示方法、プログラム、及び記録媒体は、誤ってレーザポインタを聴衆の方に向けても安全であるという効果を有し、スクリーンなどの投射対象に画像情報を投射する光指示装置、光指示方法、プログラム、及び記録媒体等に有用である。
【図面の簡単な説明】
【０２２２】
【図１】本発明の第１及び第２の実施の形態におけるプロジェクタシステムの構成を示す図
【図２】本発明の第１の実施の形態における端末装置とプロジェクタ装置との詳細な構成を示す図
【図３】本発明の第１の実施の形態及び第２の実施の形態におけるプロジェクタ装置のメイン画面とサブ画面の構成を示す図
【図４】本発明の第１の実施の形態及び第２の実施の形態における発表者が説明に使用する画像の一例を示す図
【図５】（ａ）本発明の第１の実施の形態における端末装置の第１の表示手段の表示画面に表示されたアンダーラインが付された画像の一例を示す図  （ｂ）本発明の第１の実施の形態及び第２の実施の形態におけるサブ画面またはメイン画面に表示された端末装置から送られてきた質問の画像の一例を示す図
【図６】本発明の第１の実施の形態における質問が文章で入力された質問の画像の一例を示す図
【図７】（ａ）本発明の第１の実施の形態におけるしおりが付加された質問の一例を示す図  （ｂ）本発明の第１の実施の形態における端末装置の第１の表示手段の表示画面に表示されたサムネイル画像の一例を示す図
【図８】本発明の第１の実施の形態におけるプロジェクタ装置が第２の表示画面を備えていない場合の端末装置とプロジェクタ装置との詳細な構成を示す図
【図９】本発明の第２の実施の形態における端末装置とプロジェクタ装置との詳細な構成を示す図
【図１０】本発明の第２の実施の形態におけるレーザポインタの構成を示す図
【図１１】本発明の第２の実施の形態におけるプロジェクタ装置が第２の表示手段を備えていない場合の端末装置とプロジェクタ装置との詳細な構成を示す図
【図１２】本発明の第３の実施の形態におけるレーザポインタの構成を示す図
【図１３】本発明の第３の実施の形態におけるレーザポインタの構成を示すブロック図
【図１４】本発明の第３の実施の形態におけるレーザポインタを実際に使用している場面を示す図
【図１５】本発明の第４の実施の形態におけるレーザポインタの構成を示す図
【図１６】本発明の第４の実施の形態におけるレーザポインタの構成を示すブロック図
【図１７】本発明の第４の実施の形態におけるスクリーンマーカとしてスクリーンの端部を使用する場合の説明図
【図１８】従来のプロジェクタシステムの概略構成図
【符号の説明】
【０２２３】
１  プロジェクタ装置
２  投射レンズ
３、３ａ、３ｂ、３ｃ、３ｄ  端末装置
４  スクリーン
５  メイン画面
６  第１の制御手段
７  入力手段
８  第１の表示手段
９  第１の記憶手段
１０  第１の通信手段
１１  第２の制御手段
１２  画像情報入力手段
１３  指示手段
１４  第２の記憶手段
１５  第２の通信手段
１６  投射手段
１７  第２の表示手段
１８  サブ画面
２４  プロジェクタ装置
２５  端末装置
２６  レーザポインタ
３０  レーザポインタ
３１  発振ボタン
３２  方位計
３３  角度センサ
３４  レーザ光
６３  確定ボタン
６４  質問ボタン
７１  校正ボタン
７２  向き判定手段
７３  レーザ発振器
７４  レーザ光学系
【図１】
2005221898.tif 000003
【図２】
2005221898.tif 000004
【図３】
2005221898.tif 000005
【図４】
2005221898.tif 000006
【図５】
2005221898.tif 000007
【図６】
2005221898.tif 000008
【図７】
2005221898.tif 000009
【図８】
2005221898.tif 000010
【図９】
2005221898.tif 000011
【図１０】
2005221898.tif 000012
【図１１】
2005221898.tif 000013
【図１２】
2005221898.tif 000014
【図１３】
2005221898.tif 000015
【図１４】
2005221898.tif 000016
【図１５】
2005221898.tif 000017
【図１６】
2005221898.tif 000018
【図１７】
2005221898.tif 000019
【図１８】
2005221898.tif 000020